(57)【要約】【課題】自動的に火力制御を行い吹きこぼれを防止しつつ、適切な火力を与える事ができる調理装置を提供する。【解決手段】鍋を加熱する加熱手段１と、前記加熱手段１への熱量を制御する熱量制御手段１０と、鍋の温度を検知する温度検出手段２と、麺ゆで動作の指示を行う麺ゆでモード設定手段９ａと、前記温度検出手段２からの温度信号により前記熱量制御手段１０を作動させる制御手段１７とを備え、前記制御手段１７は、麺ゆでモードが設定された場合、前記温度検出手段２が沸騰状態を検知すると、前記熱量制御手段１０により強制的に所定時間の弱熱量と強熱量の加熱動作を行い、その後は前記温度検出手段２の温度信号に基づいて吹きこぼれのない加熱熱量で自動的に制御す構成としてある。【選択図】図３
2006064276.tif 000002
【特許請求の範囲】
【請求項１】
鍋を加熱する加熱手段と、前記加熱手段への熱量を制御する熱量制御手段と、鍋の温度を検知する温度検出手段と、麺ゆで動作の指示を行う麺ゆでモード設定手段と、前記温度検出手段からの温度信号により前記熱量制御手段を作動させる制御手段とを備え、前記制御手段は、麺ゆでモードが設定された場合、前記温度検出手段が沸騰状態を検知すると、前記熱量制御手段により強制的に所定時間の弱熱量と強熱量の加熱動作を行い、その後は前記温度検出手段の温度信号に基づいて吹きこぼれのない加熱熱量で自動的に制御することを特徴とした加熱調理器。
【請求項２】
加熱開始時に検出した初期温度と、沸騰を検知するまでの時間及び検出温度から水量判別を行い、前記水量判別結果に基づく水量に応じて強制加熱動作時における強熱量による加熱時間を可変としたことを特徴とする請求項１記載の加熱調理器。
【請求項３】
温度検出手段で検出された鍋底温度の最高温度を記憶するとともに、水量判別結果に基づく水量に応じて設定された加熱時間だけ強熱量を与えた時に、麺投入による低下した鍋底温度と最高温度の差が所定値以上あれば、引き続き強熱量を追加して与えることを特徴とした請求項２記載の加熱調理器。
【請求項４】
所定時間の強熱量を与えた後、吹きこぼれないよう加熱熱量を自動的に制御を行っている途中に、鍋底温度が所定値以上の温度低下をした場合、その下がり幅にかかわらず決められた所定量の強熱量を再度与える事を特徴とした請求項１〜３のいずれか１項記載の加熱調理器。
【発明の詳細な説明】
【技術分野】
【０００１】
本発明は、調理モードの操作指示に基づいて自動調理を行う加熱調理器に関するものである。
【背景技術】
【０００２】
従来、この種の調理器は、麺ゆで動作時に沸騰検知後、鍋の温度に応じて加熱量を制御しながら麺の吹きこぼれを防止するようにしたものが知られている（例えば、特許文献１、２参照）。
【特許文献１】特開平１０−１３２２８１号公報
【特許文献２】特開平１０−１５５６５９号公報
【発明の開示】
【発明が解決しようとする課題】
【０００３】
一般的に、麺ゆでをガスコンロ等の加熱調理器を用いて手動で行う場合、沸騰を維持する一定火力のまま放置しておくと、麺のたんぱく質やでんぷんが湯中に溶け出し、湯の上面に膜を張ることにより、鍋中の対流により膜を押し上げ、湯が吹きこぼれてしまい、器具上面を汚してしまうという課題があった。
【０００４】
また、吹きこぼれを防止するために、吹きこぼれそうになったときに、途中で水を加えるなどのさし水をするが、その場合は常に鍋のそばで監視する必要があるという課題があった。
【０００５】
また、従来の加熱調理器では、上記特許文献のように、沸騰した後、加熱量を弱火に落とし、温度検出手段で鍋底の温度が一定温度低下すると加熱量を強火に火力調整を行う構成としていたが、このような加熱量制御を行うと、例えば、インスタントラーメンやそうめんなどの負荷の軽い麺を多い湯量でゆでた場合、鍋底温度が下がらず、強火に火力調節を行う機会を失い、弱火のままで長時間ゆでてしまう結果となって、湯の対流がおこらないので、麺が底に沈み込み、くっついてしまったり、均等に加熱されずに麺のこしが弱くなる、または麺がのびてしまうという課題があった。
【０００６】
本発明は、前記従来の課題を解決するもので、鍋底温度の低下にかかわらず、強制的に対流を起こし、麺の沈み込みを防ぐと共に、その後、自動的に火力制御を行い吹きこぼれを防止しつつ、適切な火力を与える事ができる調理装置を提供することを目的とする。
【課題を解決するための手段】
【０００７】
前記従来の課題を解決するため、本発明の調理装置は、鍋を加熱する加熱手段と、前記加熱手段への熱量を制御する熱量制御手段と、鍋の温度を検知する温度検出手段と、麺ゆで動作の指示を行う麺ゆでモード設定手段と、前記温度検出手段からの温度信号により前記熱量制御手段を作動させる制御手段とを備え、前記制御手段は、麺ゆでモードが設定された場合、前記温度検出手段が沸騰状態を検知すると、前記熱量制御手段により強制的に所定時間の弱熱量と強熱量の加熱動作を行い、その後は前記温度検出手段の温度信号に基づいて吹きこぼれのない加熱熱量で自動的に制御する構成としたものである。
【０００８】
これによって、吹きこぼれがないよう加熱熱量を自動的に制御するので、吹きこぼれを防止する為の火力調節を手動で行うことなく麺がゆでることができ、かつ負荷の小さい麺を多量の湯でゆでた時のような鍋底温度が変化しない場合でも、水の沸騰を検知した後、所定時間弱熱量を与え、その後、一定時間の強熱量を与え湯の対流を強制的におこすので、弱火のままゆでてしまい麺が底に沈み込みくっついてしまったり、均等に加熱されずに麺のこしが弱くなる、または麺がのびてしまうということを防ぐことができる。
【発明の効果】
【０００９】
本発明の調理装置は、麺ゆでモードを使用して麺をゆでる場合、沸騰報知後麺を投入すると加熱熱量を自動的に制御するので、吹きこぼれを防止する為の火力調節を手動で行うことなく麺がゆでることができ、かつ負荷の小さい麺を多量の湯でゆでた時のような鍋底温度が変化しない場合でも、水の沸騰を検知した後、所定時間弱熱量を与え、その後一定時間の強熱量を与え湯の対流を強制的におこすので、弱火のままゆでてしまい麺が底に沈み込みくっついてしまったり、均等に加熱されずに麺のこしが弱くなるまたは麺がのびてしまうということを防ぐことができる。
【発明を実施するための最良の形態】
【００１０】
第１の発明は、鍋を加熱する加熱手段と、前記加熱手段への熱量を制御する熱量制御手段と、鍋の温度を検知する温度検出手段と、麺ゆで動作の指示を行う麺ゆでモード設定手段と、前記温度検出手段からの温度信号により前記熱量制御手段を作動させる制御手段とを備え、前記制御手段は、麺ゆでモードが設定された場合、前記温度検出手段が沸騰状態を検知すると、前記熱量制御手段により強制的に所定時間の弱熱量と強熱量の加熱動作を行い、その後は前記温度検出手段の温度信号に基づいて吹きこぼれのない加熱熱量で自動的に制御する構成としたことを特徴とするもので、吹きこぼれを防止する為の火力調節を手動で行うことなく麺がゆでることができ、かつ負荷の小さい麺を多量の湯でゆでた時のような鍋底温度が変化しない場合でも、水の沸騰を検知した後、所定時間弱熱量を与え、その後一定時間の強熱量を与え湯の対流を強制的におこすので、弱火のままゆでてしまい麺が底に沈み込みくっついてしまったり、均等に加熱されずに麺のこしが弱くなる、または麺がのびてしまうということを防ぐことができる。
【００１１】
第２の発明は、加熱開始時に検出した初期温度と、沸騰を検知するまでの時間及び検出温度から水量判別を行い、前記水量判別結果に基づく水量に応じて強制加熱動作時における強熱量による加熱時間を可変としたことを特徴とするもので、鍋中の水量が多い場合は強熱量の与える時間を長くし沸騰を維持し、水量が少ない場合は長時間強熱量を与えると吹きこぼれやすくなるので時間を短くすることにより、水量が変化しても沸騰を維持しつつ、吹きこぼれを防止することができる。
【００１２】
第３の発明は、温度検出手段で検出された鍋底温度の最高温度を記憶するとともに、水量判別結果に基づく水量に応じて設定された加熱時間だけ強熱量を与えた時に、麺投入による低下した鍋底温度と最高温度の差が所定値以上あれば、引き続き強熱量を追加して与えることを特徴とするもので、水量が少ない状態で多量の麺が投入され湯の温度が下がった場合でも、所定時間の強熱量を与えた時に鍋底温度と最高温度の差が所定値以上あれば、引き続き所定量の熱量を追加して与えることによって、低下した湯の温度を沸騰温度近傍まで上昇させることができ、対流を起こし易く麺の鍋底への沈みこみによる麺のくっつき等を防止できる。
【００１３】
第４の発明は、一定時間の強熱量を与えた後、吹きこぼれないよう加熱熱量を自動的に制御している途中に、鍋底温度が所定値以上の温度低下をした場合に、その下がり幅にかかわらず決められた一定量の強熱量を再度与えることにより、誤ってさし水をしたり、途中で調理物や水などが加えられた場合でも、低下した湯の温度を沸騰温度近傍まで上昇させることができ、対流を起こし易く麺の鍋底への沈みこみによる麺のくっつき等を防止できる。
【００１４】
以下、本発明の実施の形態について、図面を用いて説明する。なお、この実施の形態によって本発明が限定されるものではない。
【００１５】
（実施の形態１）
図１は、本発明の実施の形態１における加熱調理器の外観斜視図である。
【００１６】
図１において、本発明の加熱調理器は、加熱手段である左コンロ１と、左コンロ１に設けた温度検出手段である温度センサー２、右コンロ３、魚焼き用のグリル４、操作部５からなる。使用者は、操作部５の点消火キー６を押すことにより、それぞれのコンロを使用できる構成となっている。
【００１７】
図２は、同加熱調理器の操作部の拡大図である。
【００１８】
図２において、使用者が左コンロ１を使う場合、左コンロ１上に鍋等を置き、主電源である運転キー７を押した後、左コンロ用点消火キー６を押して左コンロを点火させる。火力調節は点消火キー６上に位置する火力調節キー８で行う。火力調節キー８の上側には調理モード選択キー９があり、使用者が湯沸かしをしたい場合、湯沸かしキー９ｂを押してモードを選択し、左コンロ用点消火キー６を押すことにより、左コンロ１は湯沸かしモードで加熱を開始する。麺ゆでモードは麺ゆでモード設定手段である麺ゆでキー９ａを、炊飯モードは炊飯キー９ｃを、揚げ物モードは揚げ物キー９ｄを押した後、左コンロ用点消火キー６を押すことにより、左コンロ１はそれぞれの調理モードで加熱を開始する。
【００１９】
以上のように構成された加熱調理装置について、以下その動作、作用を説明する。
【００２０】
図３は、同加熱調理器の作動原理図、図３ａは同熱量制御手段の熱量毎の状態図を示すものである。
【００２１】
まず、点火、消火時の動作、作用について説明する。
【００２２】
図３、図３ａにおいて、熱量制御手段１０は、ガス管接続管１１、元電磁弁１２、モータの回転を直線運動に変換した電動駆動部１３、電動駆動部１３により直線的に移動するガス閉子１４、ガス閉子１４上に固定設置され複数個の穴を設けた流量チップ１５、ガス閉子１４の位置を検出する位置検出部１６からなる。図３ａにおいて元電磁弁１２、電動駆動部１３、位置検出部１６は制御手段であるマイコンを搭載した制御基板１７と電気的に接続され、かつ温度センサー２、炎検知用の熱伝対１８、高圧放電用の点火器１９、操作部５も制御基板１７と電気的に接続されている。また、制御基板１７には報知手段であるブザー２０を設置している。図３ａの上段はガス停止状態、中段は弱熱量状態である弱火、下段は強熱量状態である強火を示す。
【００２３】
図３ｂは同加熱調理器におけるガス閉子と流量チップの位置と火力の相関図を示すものである。
【００２４】
本実施の形態では強火力状態と弱火力状態の間に、３種類の中火を設け、図３ｂの右から２番目に示す流量チップ１５とガス閉子１４の位置が中火１、右から３番目の位置が中火２、右から４番目の位置が中火３で、火力の大きさは流量チップ１５の通過する穴の面積で規制され、強火＞中火１＞中火２＞中火３＞弱火という関係である。ガス停止状態においては、ガス管接続管１１から流入するガスは元電磁弁１２、及びガス閉子１４を閉じることにより器具内への流入を遮断している。使用者が左コンロ１を使用する場合、主電源である運転キー７を押した後、左コンロ用点消火キー６を押す。点消火キー６が押されると、制御基板１７は元電磁弁１２を開くと共に、ガス閉子１４を位置検出部１６により位置を検出しながら電動駆動部１３の駆動により強熱量状態まで移動させ、ガスを左コンロ１へと流入させる。ほぼ同時に制御基板１７は点火器１９より高圧放電を左コンロ１に与え、ガスを点火させる。熱伝対１８は炎の熱により起電力を発生し、制御基板１７はその起電力を監視し火がついているかどうかを判断し、煮こぼれ等により炎が消え起電力が所定値以下になると、ガス閉子１４をガス停止状態まで移動させ、ガスを遮断する。点火時に、点消火キー６が押され消火する時も同様の動作を行う。右コンロ、グリルの動作、作用も同様である。
【００２５】
次に麺ゆでモードでの動作、作用を説明する。
【００２６】
図４は、同実施の形態１における加熱調理器の麺ゆでモード使用時のフローチャートである。
【００２７】
使用者が左コンロ１上に水を入れた鍋を置き、ＳＴ１００で麺ゆでキー９ａを押して麺ゆでモードを設定し、ＳＴ１０１で左コンロ用点消火キー６を押すと、麺ゆでモードで加熱が開始される。加熱熱量は、沸騰検知までは水量判別、及び沸騰検知の精度を上げる為、強火で固定される。ＳＴ１０２で加熱開始所定時間後に制御基板１７は温度センサー２により、初期温を測定し記憶する。ＳＴ１０３で制御基板１７はさらに温度センサー２から得られる温度と、所定時間前との温度差を計算しつつ加熱を継続する。水が沸騰し水温が平衡すると、温度センサーで得られる鍋の温度も平衡するので、ＳＴ１０４で温度差が所定値以下となると、ＳＴ１０５で制御基板は水が沸騰したと判断し、ブザーを鳴らし使用者に沸騰を報知し、使用者に麺の投入を促すと共に、ＳＴ１０６の火力制御、ＳＴ１０７のブザー制御へと進む。
【００２８】
図４ａは同実施の形態１における加熱調理器の火力制御のフローチャートである。
【００２９】
ＳＴ１０６の火力制御が開始すると、制御基板１７はＳＴ１０８で沸騰検知からの経過時間を測定する。そしてＳＴ１０９で所定時間（本実施例では１４秒）経過したかどうか判定し、経過していなければＳＴ１１０で火力を弱火とし余分なガスの消費を抑える。使用者が麺を投入し、１４秒以上経過しＳＴ１０９を通過し、ＳＴ１１１で３０秒経過したかどうか判定し、経過していなければ、ＳＴ１１２で火力を強火へ移動させ、麺投入により低下した湯温を沸騰温度まで回復させると共に、強制的に対流を起こし麺が底に沈みこみのを防止する。その後３０秒以上経過しＳＴ１１１を通過すると、ＳＴ１１３の中火制御へと進む。
【００３０】
図４ｂは同実施の形態１における加熱調理器の中火制御のフローチャートである。
【００３１】
ＳＴ１１３の中火制御が開始すると、ＳＴ１１４で中火制御開始からの経過時間の測定を開始する。ＳＴ１１５で１０秒経過したかどうか判定し、１０秒経過していなければＳＴ１１６で火力を中火１とし、１０秒経過すればＳＴ１１７で火力を中火２とする。ＳＴ１１８で２０秒経過したかどうか判定し、経過すればＳＴ１１９で経過時間を初期化し、以降はＳＴ１１４からＳＴ１１９を繰返す。これにより、麺がゆで上がり、使用者が消火するまで中火１と中火２が所定時間毎に切り替る。麺をゆでると、麺のたんぱく質やでんぷんが湯中に溶け出し、湯上面に膜を張るが、中火１と中火２を所定時間毎に切り替ることにより、沸騰温度をある程度維持しつつ、鍋中の対流の強めたり弱めたりすることにより、鍋中の対流により膜の押し上げを軽減し、湯の吹きこぼれを防止することができる。
【００３２】
図４ｃは、同実施の形態１における加熱調理器のブザー制御のフローチャートである。
【００３３】
ＳＴ１０７のブザー制御が開始すると、ＳＴ１２０でブザー制御開始からの経過時間の測定を開始する。ＳＴ１２１で１分経過したかどうか判定し、１分経過すれば、ＳＴ１２２でブザーを鳴らし使用者に１分経過を報知し、ＳＴ１２３で経過時間を初期化する。以降はＳＴ１２０からＳＴ１２３を繰返し、これにより１分毎に報知ブザーを鳴らす構成としている。
【００３４】
以上のように、本実施の形態においては、制御手段が鍋底のセンサーの検知温度により水の沸騰を検知した後、所定時間弱熱量を与え、その後一定時間の強熱量を与え、その後は吹きこぼれないよう加熱熱量を自動的に制御することにより、加熱熱量を自動的に制御するので、吹きこぼれを防止する為の火力調節を手動で行うことなく麺がゆでることができ、かつ負荷の小さい麺を多量の湯でゆでた時のような鍋底温度が変化しない場合でも、水の沸騰を検知した後、所定時間該弱熱量を与え、その後一定時間の該強熱量を与え湯の対流を強制的におこすので、弱火のままゆでてしまい麺が底に沈み込みくっついてしまったり、均等に加熱されずに麺のこしが弱くなるまたは麺がのびてしまうということを防ぐことができる。
【００３５】
（実施の形態２）
図５は、本発明の実施の形態２における加熱調理器の麺ゆでモード使用時のフローチャート、図５ａは同実施の形態２における加熱調理器の火力制御のフローチャートである。実施の形態１と異なる点は、ＳＴ１０２の次のステップとして、ＳＴ１２４を追加し、ＳＴ１０５の次にＳＴ１２５、ＳＴ１２６を追加し、ＳＴ１１１をＳＴ１２７に置き換えた点である。なお、実施の形態１と同一符号のものは、同一構造を有し、説明は省略する。
【００３６】
以上のように構成された加熱調理器について、以下その動作、作用を説明する。
【００３７】
麺ゆでモードで加熱が開始され、ＳＴ１０２で初期温を測定し記憶すると、ＳＴ１２４で初期温を測定してからの経過時間の測定を開始する。ＳＴ１０３で制御基板１７はさらに温度センサー２から得られる温度と、所定時間前との温度差を計算しつつ加熱を継続する。水が沸騰し水温が平衡すると、温度センサーで得られる鍋の温度も平衡するので、ＳＴ１０４で温度差が所定値以下となると、ＳＴ１０５で制御基板は水が沸騰したと判断し、ブザーを鳴らし使用者に沸騰を報知し、使用者に麺の投入を促すと共に、ＳＴ１２５、ＳＴ１２６に進む。ＳＴ１２５では（現在温−初期温）を経過時間で割る温度勾配の値を変数として、正の相関の１次式に代入し、水量を計算しＳＴ１２６に進む。ＳＴ１２６では、ＳＴ１２５で計算した水量を変数として、正の相関の１次式に代入し、ＳＴ１０６の火力制御で用いる強火時間を計算し、ＳＴ１０６の火力制御、ＳＴ１０７のブザー制御へと進む。ＳＴ１０６の火力制御が開始すると、制御基板１７はＳＴ１０８で沸騰検知からの経過時間を測定する。そしてＳＴ１０９で所定時間（本実施例では１４秒）経過したかどうか判定し、経過していなければＳＴ１１０で火力を弱火とし余分なガスの消費を抑える。使用者が麺を投入し、１４秒以上経過しＳＴ１０９を通過すると、ＳＴ１２７で１４秒にＳＴ１２６で計算した強火時間加えた値を経過したかどうか判定する。経過していなければ、ＳＴ１１２で火力を強火へ移動させ、麺投入により低下した湯温を沸騰温度まで回復させると共に、強制的に対流を起こし麺が底に沈みこみのを防止する。その後ＳＴ１２６を通過すると、ＳＴ１１３の中火制御へと進む構成としている。これにより、水量判別を行い、水量に応じて正の相関関係で強火時間を可変とすることができるので、使用する水量が変わっても、沸騰を維持しつつ、かつ吹きこぼれないような適切な時間の強火を与えることができる。
【００３８】
以上のように、本実施の形態においては、加熱開始時に測定した初期温度と、沸騰を検知するまでの時間と検知温度により水量判別を行い、水量に応じて強熱量の与える時間を可変とすることにより、鍋中の水量が多い場合は強熱量の与える時間を長くし沸騰を維持し、水量が少ない場合は長時間強熱量を与えると吹きこぼれやすくなるので時間を短くすることにより、水量が変化しても沸騰を維持しつつ、吹きこぼれを防止することができる。
【００３９】
（実施の形態３）
図６は、本発明の実施の形態３における加熱調理器の麺ゆでモード使用時のフローチャート、図６ａは同実施の形態３における加熱調理器の火力制御のフローチャートである。実施の形態２と異なる点は、ＳＴ１０３の次のステップとして、ＳＴ１２８を追加し、ＳＴ１２７の次にＳＴ１２９、ＳＴ１３０を追加した点である。なお、実施の形態１、２と同一符号のものは、同一構造を有し、説明は省略する。
【００４０】
以上のように構成された加熱調理器について、以下その動作、作用を説明する。
【００４１】
麺ゆでモードで加熱が開始され、ＳＴ１０３で現在温度と、所定時間前との温度差を計算しつつ加熱を継続し、ＳＴ１２８へ進む。ＳＴ１２８では、現在温と、記憶している最高温度とを比較し、現在温度が最高温度よりも高ければ、現在温度を最高温度として更新して記録する。その後、ＳＴ１０４、ＳＴ１０５、ＳＴ１２５、ＳＴ１２６を通り、ＳＴ１０６の火力制御へ進む。ＳＴ１０６の火力制御が開始し、ＳＴ１２７で１４秒にＳＴ１２６で計算した強火時間加えた値を経過したかどうか判定し、経過すればＳＴ１２９へ進む。ＳＴ１２９では最高温度から現在温度を減算し、減算した値が所定値より小さければ、ＳＴ１１３の中火制御へ進むが、減算した値が所定値よりも等しいか、大きければ湯温がまだ回復していないと判断して、ＳＴ１３０に進む。ＳＴ１３０では、強火時間／２の時間経過待ちを行い、その間強火を継続する構成としている。これにより、強火時間が終了する段階で、最高温度と現在温度を比較し、差が大きければ、麺投入によって下がった湯の温度が回復していないと判断し、湯温が回復するよう、強火を継続して与えることができる。
【００４２】
以上のように、本実施の形態においては、温度検出手段で検出された鍋底温度の最高温度を記録し、検知した水量によって一定時間の強熱量を与えた時に、麺投入による低下した鍋底温度と最高温度の差が所定値以上あれば、引き続き水量によって決められた一定量の熱量を追加して与えることにより、水量の割に多量の麺が投入され湯の温度が下がった場合でも、一定時間の強熱量を与えた時に鍋底温度と最高温度の差が所定値以上あれば、引き続き水量によって決められた一定量の熱量を追加して与えることによって低下した湯の温度を沸騰温度近傍まで上昇させることができ、対流が起こし易く麺の鍋底への沈みこみによる麺のくっつき等を防止できる。
【００４３】
（実施の形態４）
図７は、本発明の実施の形態４における加熱調理器の中火制御のフローチャートである。実施の形態２と異なる点は、ＳＴ１１４の次のステップとして、ＳＴ１３１を追加し、ＳＴ１３１の判別により進むＳＴ１３２の強火追加制御を追加した点である。なお、実施の形態１、２、３と同一符号のものは、同一構造を有し、説明は省略する。
【００４４】
以上のように構成された加熱調理器について、以下その動作、作用を説明する。
【００４５】
ＳＴ１１３で中火制御が開始すると、ＳＴ１１４を通り、ＳＴ１３１へ進む。ＳＴ１３１では最高温度から現在温度を減算し、減算した値が所定値より小さければ、ＳＴ１１５へ進むが、減算した値が所定値よりも等しいか、大きければ、途中で水またはその他調理物が追加され湯温がさがったと判断して、ＳＴ１３２の強火追加制御に進む。ＳＴ１３２の強火追加制御が開始すると、ＳＴ１３３で火力を強火とし、ＳＴ１３４で強火時間／２の時間経過待ちを行い、その間強火を継続する構成としている。これにより、調理途中で水やその他調理物が加えられ湯温が下がっても、湯温が回復するよう強火を追加で与えることができる。
【００４６】
以上のように、本実施の形態においては、一定時間の強熱量を与えた後、吹きこぼれないよう加熱熱量を自動的に制御中、鍋底温度が一定以上の温度低下した場合に、その下がり幅にかかわらず決められた一定量の強熱量を再度与えることにより、誤ってさし水をしたり、途中で調理物や水などが加えられた場合でも、低下した湯の温度を沸騰温度近傍まで上昇させることができ、対流が起こし易く麺の鍋底への沈みこみによる麺のくっつき等を防止できる。
【産業上の利用可能性】
【００４７】
以上のように、本発明の加熱調理器は、沸騰報知を行い、使用者が麺投入後の火力を、自動的に沸騰温度を維持しつつ、吹きこぼれないよう火力制御を行うものであり、ガス調理器のみならず、電磁調理器など他の調理器においても適用できる。
【図面の簡単な説明】
【００４８】
【図１】本発明の実施の形態１における加熱調理器の外観斜視図
【図２】同加熱調理器の操作部の拡大図
【図３】同加熱調理器の作動原理図
【図３ａ】同加熱調理器における熱量制御手段の熱量毎の状態図
【図３ｂ】同加熱調理器におけるガス閉子と流量チップの位置と火力の相関図
【図４】同加熱調理器の麺ゆでモード使用時のフローチャート
【図４ａ】同加熱調理器における火力制御のフローチャート
【図４ｂ】同加熱調理器における中火制御のフローチャート
【図４ｃ】同加熱調理器におけるブザー制御のフローチャート
【図５】本発明の実施の形態２における加熱調理器の麺ゆでモードのフローチャート
【図５ａ】同加熱調理器における火力制御のフローチャート
【図６】本発明の実施の形態３における加熱調理器の麺ゆでモードのフローチャート
【図６ａ】同加熱調理器における火力制御のフローチャート
【図７】本発明の実施の形態４における加熱調理器の中火制御のフローチャート
【符号の説明】
【００４９】
１  左コンロ（加熱手段）
２  温度センサー（温度検出手段）
９ａ  麺ゆでキー（麺ゆでモード設定手段）
１０  熱量制御手段
１７  制御基板（制御手段）
【図１】
2006064276.tif 000003
【図２】
2006064276.tif 000004
【図３】
2006064276.tif 000005
【図３ａ】
2006064276.tif 000006
【図３ｂ】
2006064276.tif 000007
【図４】
2006064276.tif 000008
【図４ａ】
2006064276.tif 000009
【図４ｂ】
2006064276.tif 000010
【図４ｃ】
2006064276.tif 000011
【図５】
2006064276.tif 000012
【図５ａ】
2006064276.tif 000013
【図６】
2006064276.tif 000014
【図６ａ】
2006064276.tif 000015
【図７】
2006064276.tif 000016